(57)【要約】      （修正有）【課題】扉部を開いた際に容易に通過できる幼児用ゲートを提供する。【解決手段】幼児用ゲート１は、取付面ＷＬ，ＷＲに取り付けられる略Ｕ字形状の枠体１と、枠体１に対して回動自在に連結される扉部１８と、枠体１の少なくとも下端側における左右両端側を取付面ＷＬ，ＷＲ側に圧接させるためのアジャスタ１３と、を備える。枠体１が、取付面ＷＬ，ＷＲ側に配置される２つの側枠８Ｌ，８Ｒと、側枠８Ｌ，８Ｒの下端側を相互に連結するように床面Ｆ側に配置される下枠と、を備える。下枠が、長手方向を水平面に略沿わせた断面略扁平状のパイプ材から形成されるとともに、扉部１８の下側に位置する中央側部位３ａを、床面Ｆに接触させ、側枠８Ｌ，８Ｒ側となる左右両端側の部位３ｂを、中央側部位３ａより上側に位置させるように屈曲されて、床面Ｆから上方に離れた左右両端側の部位３ｂ側に、アジャスタ１３を配設させている。【選択図】図１
0003190807.tif 000002
【実用新案登録請求の範囲】
【請求項１】
建物内において、対向して配置される取付面間を塞ぎつつ、床面に設置される構成として、
前記取付面に取り付けられる略Ｕ字形状の枠体と、該枠体に対して回動自在に連結される扉部と、該扉部の前記枠体に対する開きを規制可能なロック装置と、前記枠体の少なくとも下端側における左右両端側を前記取付面側に圧接させるためのアジャスタと、を備え、
前記枠体が、前記取付面側に配置される２つの側枠と、該側枠の下端側を相互に連結するように前記床面側に配置される下枠と、を備える構成の幼児用ゲートであって、
前記下枠が、長手方向を水平面に略沿わせた断面略扁平状のパイプ材から形成されるとともに、前記扉部の下側に位置する中央側部位を、前記床面に接触させ、前記側枠側となる左右両端側の部位を、前記中央側部位より上側に位置させるように屈曲されて、前記床面から上方に離れた前記左右両端側の部位側に、前記アジャスタを配設させる構成であることを特徴とする幼児用ゲート。
【請求項２】
前記下枠が、断面略楕円形状のパイプ材から形成されていることを特徴とする請求項１に記載の幼児用ゲート。
【請求項３】
前記アジャスタが、軸心を左右方向に略沿わせたねじ材の略円形板状の操作部を回すことにより、前記側枠側を前記取付面に圧接可能に構成され、
前記操作部の下端側が、前記下枠における前記左右両端側の部位と前記床面との間の隙間側に、突出して配置されていることを特徴とする請求項１又は２に記載の幼児用ゲート。
【考案の詳細な説明】
【技術分野】
【０００１】
本考案は、家や施設等の建物内において、部屋の出入り口や、階段等に設置されて、幼児やペット等の通行を阻止するための幼児用ゲートに関する。
【背景技術】
【０００２】
従来、幼児用ゲートとして、取付面に取り付けられる略Ｕ字形状の枠体と、枠体に対して回動自在に連結される扉部と、扉部の前記枠体に対する開きを規制可能なロック装置と、枠体の四隅を取付面側に圧接させるためのアジャスタと、を備える構成のものがあった（例えば、特許文献１参照）。
【先行技術文献】
【特許文献】
【０００３】
【特許文献１】特開２００６−６１２０７公報
【考案の概要】
【考案が解決しようとする課題】
【０００４】
しかし、この従来の幼児用ゲートでは、枠体の床面側の下枠が、高さ寸法を大きく設定されており、扉部を開けて通過する際に、足を引っ掛けて邪魔になる場合があった。
【０００５】
本考案は、上述の課題を解決するものであり、扉部を開いた際に容易に通過できる幼児用ゲートを提供することを目的とする。
【課題を解決するための手段】
【０００６】
本考案に係る幼児用ゲートは、建物内において、対向して配置される取付面間を塞ぎつつ、床面に設置される構成として、
取付面に取り付けられる略Ｕ字形状の枠体と、枠体に対して回動自在に連結される扉部と、扉部の前記枠体に対する開きを規制可能なロック装置と、枠体の少なくとも下端側における左右両端側を取付面側に圧接させるためのアジャスタと、を備え、
枠体が、取付面側に配置される２つの側枠と、側枠の下端側を相互に連結するように床面側に配置される下枠と、を備える構成の幼児用ゲートであって、
下枠が、長手方向を水平面に略沿わせた断面略扁平状のパイプ材から形成されるとともに、扉部の下側に位置する中央側部位を、床面に接触させ、側枠側となる左右両端側の部位を、中央側部位より上側に位置させるように屈曲されて、床面から上方に離れた左右両端側の部位側に、アジャスタを配設させる構成であることを特徴とする。
【０００７】
本考案の幼児用ゲートでは、下枠が、長手方向を水平面に略沿わせた断面略扁平状のパイプ材から形成されていることから、扉部の下側に配置される中央側部位において、床面との間に大きな段差を生じ難く（高さ寸法が小さく）、扉部を開けて通過する際の使い勝手が良好である。また、本考案の幼児用ゲートでは、下枠が、側枠側となる左右両端側の部位を、扉部の下側に位置する中央側部位より上側に位置させるように屈曲されて、この床面から上方に離れた左右両端側の部位側に、アジャスタを配置させる構成であることから、扁平状の下枠を、床面に接触させるように配置させる構成であっても、左右両端の側の部位を、床面から上方に離れた位置に配置させることにより、アジャスタの調整用のスペースを、十分に確保することができて、幼児用ゲートの取付面側への取付作業に、支障を生じない。
【０００８】
したがって、本考案の幼児用ゲートでは、扉部を開いた際に容易に通過できる。
【０００９】
また、本考案の幼児用ゲートにおいて、下枠を、断面略楕円形状のパイプ材から形成すれば、床面から立ち上がる領域に、角ばった部分がなくなり、一層使い勝手が良好となり、好ましい。
【００１０】
さらに、上記構成の幼児用ゲートにおいて、アジャスタを、軸心を左右方向に略沿わせたねじ材の略円形板状の操作部を回すことにより、側枠側を取付面に圧接可能な構成とし、操作部の下端側を、下枠における左右両端側の部位と床面との間の隙間側に、突出して配置させる構成とすれば、下枠の左右両端側の部位と、床面と、の間に、操作部を回すための隙間を確保することができ、アジャスタの締結作業を容易に行なうことができて、好ましい。
【図面の簡単な説明】
【００１１】
【図１】本考案の幼児用ゲートを、部屋の戸口に設置した状態を示す正面図である。
【図２】実施形態の幼児用ゲートにおいて、扉部の先端側を下枠側に係止させる係止ピンの部位を示す部分拡大縦断面図である。
【図３】実施形態の幼児用ゲートにおいて、扉部の先端側を下枠側に係止させる係止ピンの部位を示す部分拡大断面図であり、図２のIII−III部位に対応する。
【図４】図２の係止ピンを係止させるストッパを示す部分拡大平面図である。
【図５】実施形態の幼児用ゲートにおいて、回動軸部における上側軸部を示す部分拡大縦断面図である。
【図６】図５の上側軸部を構成する固定側部材の正面図である。
【図７】図６の固定側部材の側面図である。
【図８】図５の上側軸部を構成する可動側部材の正面図である。
【図９】図８の可動側部材の側面図である。
【図１０】図９のＸ−Ｘ部位の部分断面図である。
【図１１】図５の上側軸部において、可動側部材を固定側部材に対して回転させた状態を示す部分拡大断面図である。
【図１２】実施形態の幼児用ゲートにおいて、回動軸部における下側軸部を示す部分拡大縦断面図である。
【図１３】実施形態の幼児用ゲートにおいて、ロック装置の部位を示す部分拡大縦断面図である。
【図１４】図１３のロック装置において、第１突出片と第２突出片とをともにロック解除させる状態を示す部分拡大縦断面図である。
【図１５】実施形態の幼児用ゲートにおいて、下側に配置されるアジャスタの部位付近を示す部分拡大正面図である。
【考案を実施するための形態】
【００１２】
以下、本考案の一実施形態を図面に基づいて説明する。実施形態の幼児用ゲート（以下、単に「ゲート」と省略する）Ｇは、図１に示すように、建物内において、部屋の戸口等や階段の降り口等に設置されるものである。実施形態ではゲートＧを、部屋の戸口Ｄに設置する場合を例に採り説明する。ゲートＧは、戸口Ｄの開口Ｏを塞ぐように、対向して配置される取付面ＷＬ，ＷＲ間を塞ぎつつ、床面Ｆに設置されている。なお、実施形態では、特に断らない限り、扉部１８においてロック装置５８の配置される側を左側として、左右方向を設定し、上下方向を、扉部１８の上下方向に沿った方向側として、説明する。
【００１３】
ゲートＧは、図１に示すように、取付面ＷＬ，ＷＲに取り付けられる略Ｕ字形状の枠体１と、枠体１に対して回動自在に連結される扉部１８と、扉部１８の枠体１に対する開きを規制可能なロック装置５８と、を備える構成とされている。
【００１４】
枠体１は、図１に示すように、略Ｕ字形状の枠本体２と、戸口Ｄの開口幅寸法に合わせて枠本体２の左右の外方に着脱可能に配置される延長部材１２と、枠体１を左右の取付面ＷＬ，ＷＲに密接させて配置させるためのアジャスタ１３と、を備えている。
【００１５】
枠本体２は、取付面ＷＬ，ＷＲ側となる左右の側方側に配置される２つの側枠８Ｌ，８Ｒと、側枠８Ｌ，８Ｒの下端側を相互に連結するように床面Ｆ側に配置される下枠３と、を備えている。下枠３は、図３に示すように、断面を、長手方向を床面Ｆ（水平面）に略沿わせた楕円形状とされるパイプ材から構成されるもので、図１に示すように、扉部１８の下側に位置する左右の中央側となる中央側部位３ａを、床面Ｆに接触させ、左右両端側において側枠８Ｌ，８Ｒを構成する端側部位３ｂ，３ｂを、床面Ｆから上方に離して、床面Ｆとの間にアジャスタ１３の調整用の隙間Ｈ１を設けるように、中央側部位３ａより上側に位置させるように、パイプ材を屈曲させて、構成されている。この隙間Ｈ１は開口幅寸法を、下枠３の左右両端側に配置されるアジャスタ１３の各押え板（操作部）１４ａ，１５ａの下方にも、床面Ｆとの間に隙間を生じ可能な寸法に、設定されている。また、実施形態では、下枠３において、中央側部位３ａと、右側に配置される端側部位３ｂと、を連結するように傾斜して配置される右側傾斜部位３ｃには、扉部１８の右端１８ｂ側を、右側の側枠８Ｒに対して回動自在に連結させる回動軸部２８の下側軸部５２を構成する軸本体４が、突出して形成されている（図１，１２参照）。
【００１６】
また、下枠３において、中央側部位３ａの左端側には、図１〜４に示すように、扉部１８の先端側部１９の下端１９ｂ側に配置される係止ピン２４を係止可能なストッパ５が、配置されている。このストッパ５は、係止ピン２４を周縁で係止可能な係止穴部６を備えている。実施形態の場合、係止穴部６は、図２，４に示すように、扉部１８の閉じ時に下方に突出している係止ピン２４の先端２４ａ側を挿入可能とされる穴本体６ａと、穴本体６ａの左右両側において穴本体６ａ側に向かって下降するように左右方向に沿って傾斜して形成されるガイド面６ｂと、を備えている。係止穴部６は、ストッパ５の上面側において、前後の略中央となる位置に形成されるもので、上方から係止ピン２４を挿入可能に、上側を開口させて構成されている。係止穴部６に形成されるガイド面６ｂは、扉部１８の先端側部１９の上昇移動時において、扉部１８が、先端側部１９の下端１９ｂ側を左方に向けるように傾斜する際に、下端１９ｂ側から突出している係止ピン２４を穴本体６ａから離脱可能とするように、構成されている。また、ストッパ５は、上面側に、係止穴部６の配置位置にかけて上昇するように、前後方向に対して傾斜した傾斜面５ａを、係止穴部６の前後両側となる位置に、配置させている（図３参照）。この傾斜面５ａは、開いた扉部１８の閉じ方向への移動時において、係止ピン２４の先端２４ａを当接させた際に、下方に突出するように付勢される係止ピン２４を押し上げつつ、係止穴部６側に案内可能に、構成されている。下枠３における左右両端側（端側部位３ｂの左右方向の外方の端部側）には、延長部材１２に形成される取付部材１２ｄやアジャスタ１３の雄側部材１４におけるねじ材１４ｂを挿入可能な図示しない取付穴部が、形成されている。
【００１７】
左右の側枠８Ｌ，８Ｒは、図１に示すように、それぞれ、下枠３における端側部位３ｂから上方に延びるように形成される２本の支柱部９と、支柱部９の上端側を連結するように配置される上連結杆部１０と、を備えている。各側枠８Ｌ，８Ｒにおいて扉部１８側に配置される支柱部９Ａは、断面略楕円形状のパイプ材から形成され、扉部１８から離れた左右方向の外方に配置される支柱部９Ｂは、断面円形状のパイプ材から形成されている。上連結杆部１０は、四角筒状のパイプ材から構成されるもので、扉部１８の上端１８ｃ（上横棒部２１Ｕ）と上下の位置を略一致させるようにして、扉部１８の上端１８ｃから連なるように、配置されている。上連結杆部１０における左右方向の外方の端部側にも、延長部材１２に形成される取付部材１２ｄやアジャスタ１３の雄側部材１４におけるねじ材１４ｂを挿入可能な図示しない取付穴部が、形成されている。
【００１８】
延長部材１２は、図１に示すように、上下の幅寸法を側枠８Ｌ，８Ｒと略一致させて構成されるもので、上下方向に略沿って配置される支柱部１２ａと、支柱部１２ａの上端側から左右の内方に突出するように形成される上側棒部１２ｂと、支柱部１２ａの下端側から左右の内方に突出するように形成される下側棒部１２ｃと、を備える構成とされている。上側棒部１２ｂ及び下側棒部１２ｃは、枠本体２への装着時に下枠３及び上連結杆部１０に連なるように、配置されるもので、上側棒部１２ｂ及び下側棒部１２ｃの先端側（左右方向の内方側の端部側）には、下枠３及び上連結杆部１０に形成される図示しない取付穴部に挿入可能な取付部材１２ｄが、配置されている。また、上側棒部１２ｂ及び下側棒部１２ｃの元部端側（左右方向の外方側の端部側）には、他の延長部材１２に形成される取付部材１２ｄやアジャスタ１３の雄側部材１４におけるねじ材１４ｂを挿入可能な図示しない取付穴部が、形成されている。この延長部材１２は、ゲートＧを設置させる戸口等の開口幅寸法に応じて、増減されるもので、実施形態では、延長部材１２を、枠本体２の右側となる１つのみ、使用している。
【００１９】
アジャスタ１３は、図１，１５に示すように、それぞれ、円板状の押え板（操作部）１４ａ，１５ａを有した雄側部材１４と雌側部材１５とを備える構成とされて、雄側部材１４を雌側部材１５に締結させることにより、押え板１４ａ，１５ａ間の離隔距離を変更可能に構成されている。詳細には、雄側部材１４は、押え板１４ａと、押え板１４ａから軸心を左右方向に略沿わせるようにして延びるねじ材１４ｂと、を有し、雌側部材１５は、中央に、ねじ材１４ｂを螺合可能なねじ穴１５ｂを有した押え板１５ａを、備えている。雄側部材１４と雌側部材１５との押え板（操作部）１４ａ，１５ａは、下端側を、下枠３より下方に突出させて、隙間Ｈ１側に突出させるように、構成されている。そして、このアジャスタ１３は、ゲートＧの上下左右の四隅において、枠本体２若しくは延長部材１２と、取付面ＷＬ，ＷＲと、の間に介在されるように配置されて、雄側部材１４のねじ材１４ｂを、雌側部材１５のねじ穴１５ｂを経て、枠本体２若しくは延長部材１２の図示しない取付穴部に挿入させた状態で、雄側部材１４の押え板（操作部）１４ａを回しつつ、押え板１４ａ，１５ａを、取付面ＷＬ，ＷＲと、枠本体２若しくは延長部材１２と、に圧接させることにより、側枠８Ｌ，８Ｒ側を取付面ＷＬ，ＷＲに圧接させて、枠体１を左右の取付面ＷＬ，ＷＲに取り付ける構成である。
【００２０】
扉部１８は、図１に示すように、上下両端側において左右方向に沿って配置される上横棒部２１Ｕ，下横棒部２１Ｄと、上横棒部２１Ｕ，下横棒部２１Ｄ間を連結するように上下方向に沿って配置される縦棒部２２と、を備える構成とされるもので、左端１８ａ側を、開き時の先端側として、右端１８ｂ側を、回動軸部２８によって、枠本体２における右側の側枠８Ｒに対して回動自在に連結されている。上横棒部２１Ｕ，下横棒部２１Ｄは、枠本体２における上連結杆部１０と同様に、四角筒状のパイプ材から形成されている。縦棒部２２は、断面円形状のパイプ材から形成されている。扉部１８の先端側（左端１８ａ側）に配置されて、先端側部１９を構成する縦棒部２２Ａは、断面略正方形状のパイプ材から形成されて、下端２２ａを、下横棒部２１Ｄより下方に突出させるように構成されている。この縦棒部２２Ａの下端２２ａ側には、扉部１８の先端側部１９の下端１９ｂ側を、下枠３に配置されるストッパ５に係止させるための係止ピン２４が、下方に突出して配置されている（図２，３参照）。この係止ピン２４は、実施形態の場合、自重によって、扉部１８（縦棒部２２Ａ）からの突出状態を維持可能に付勢されるようにして、縦棒部２２Ａの下端２２ａ側に配置されるガイド２５に対して上下方向にスライド移動可能に取り付けられている。この係止ピン２４は下方から押圧されれば、ガイド２５内に押し込むように上方移動させることができる。ガイド２５の上端側には、係止ピン２４の過度の上昇移動を規制するストッパ２５ａが、配置されている。そして、係止ピン２４は、下方からの押圧状態を解除されれば、自重により、下降移動して、ガイド２５（扉部１８）から突出した状態となる。
【００２１】
扉部１８の右端１８ｂ側を、右側の側枠８Ｒに対して回動自在に連結させる回動軸部２８は、図１，５，１２に示すように、扉部１８の上端１８ｃ側に配置される上側軸部２９と、扉部１８の下端１８ｄ側に配置される下側軸部５２と、を備えている。
【００２２】
上側軸部２９は、図５に示すように、扉部１８の右上端から右方に突出するように形成される可動側部材３７と、側枠８Ｒの左上端側に配置される固定側部材３０と、固定側部材３０に形成される内側筒部３４に嵌め込まれるキャップ部材４５と、キャップ部材４５と可動側部材３７に形成される外側筒部３８との間に介在される付勢手段としてのコイルばね４９と、を、備えている。
【００２３】
固定側部材３０は、図５〜７に示すように、枠本体２に取り付けられる取付部３１と、取付部３１の左端側から上方に延びる台座部３２と、台座部３２から上方に突出するように形成されるとともに可動側部材３７に形成される外側筒部３８の内部に挿入可能に構成される内側筒部３４と、を備えている。内側筒部３４は、キャップ部材４５から延びる軸部４７を挿入させてバヨネット結合可能なように、上端側を開口させた略円筒形状として構成されている。台座部３２は、内側筒部３４の外周側に張り出すように内側筒部３４と段差状に形成されるもので、外形形状を、中心を内側筒部３４の中心と略一致させた略円柱状とされるとともに、上面側に、回転する可動側部材３７の外側筒部３８をガイド可能な傾斜面部３３を、備えている。傾斜面部３３は、台座部３２における左側（扉部１８側）半分程度の領域に形成されるもので、左端側の前後の中央を下側に位置させるように、左右方向側で傾斜して、形成されている。この傾斜面部３３は、扉部１８の開き時に、回転する可動側部材３７の外側筒部３８における底壁部４０から下方に延びるように形成される突起部４２を案内するために、形成されている。
【００２４】
傾斜面部３３の中央付近（最下方となる左端側）には、上面側を凹ませるようにして、凹部３３ａが、形成されている（図６，７参照）。この凹部３３ａは、扉部１８を閉じた状態で、可動側部材３７の外側筒部３８における底壁部４０から下方に延びるように形成される突起部４２の先端を挿入させて係止可能に、構成されている。この凹部３３ａは、凹みの深さを、扉部１８の開き動作時において、左端１８ａ側の先端側部１９を上昇移動させた際に、突起部４２を乗り越えさせることが可能な深さに、設定されている。そして、扉部１８の開き時には、傾斜面部３３が、回転する可動側部材３７に伴って、凹部３３ａを乗り越えた突起部４２を、上方に押し上げるように、案内することとなる。また、実施形態では、台座部３２の上面における傾斜面部３３近傍の部位にも、図６に示すように、上面側を凹ませるようにして、突起部４２の先端を挿入可能な凹部３２ａが、形成されている。また、台座部３２は、取付部３１との間に、可動側部材３７の外側筒部３８における延設部４１を挿入可能な隙間Ｈ２を有するように、構成されており（図６参照）、この隙間Ｈ２は、扉部１８の開き動作時において、先端側部１９を上昇させるような扉部１８の傾斜に伴う可動側部材３７の傾斜を許容可能な寸法に、設定されている。さらに、取付部３１において、台座部３２との境界部位付近における台座部３２の下端側の右側の領域には、台座部３２に形成される傾斜面部３３に対応して、回転する可動側部材３７の外側筒部３８をガイド可能なガイド面３１ａが、形成されている。このガイド面３１ａは、傾斜面部３３の傾斜に対応するようにして、台座部３２の下端側右側において、前後の中央から前後両側にかけて下降して、台座部３２の下端側における前後両側にかけて、左右方向側で傾斜して形成されている。このガイド面３１ａは、扉部１８の開き時に、回転する可動側部材３７の外側筒部３８における延設部４１を案内するために、形成されている。
【００２５】
可動側部材３７は、図５，８〜１０に示すように、扉部１８における上横棒部２１Ｕの右端側に取り付けられるもので、扉部１８の右端１８ｂ側に形成されて、固定側部材３０の内側筒部３４の外周側を覆う外側筒部３８を、備えている。外側筒部３８は、図５，１０に示すように、上方を開口させた略円筒状として、円筒状の側壁部３９と、側壁部３９の下端側を閉塞する底壁部４０と、を備え、この底壁部４０に、内側筒部３４を挿通可能な挿通孔４０ａを配設させて構成されている。側壁部３９は、内径寸法を、内側筒部３４との間に、コイルばね４９を配置可能な寸法に、設定されている。また、外側筒部３８は、底壁部４０の下方に、側壁部３９から連なるように延びる円筒状の延設部４１を、配設させている。この延設部４１は、下方を開口させて構成され、固定側部材３０の台座部３２を挿入可能に、形成されている。また、延設部４１は、右側の領域の下端側を、固定側部材３０の取付部３１に形成されるガイド面３１ａの傾斜に対応して、右端側を上側に位置させるように、左右方向側で傾斜させた傾斜部４１ａを、配置させている。また、延設部４１の内周面における左端側には、底壁部４０の下面から下方に突出するような突起部４２が、形成されている（図８〜１０参照）。この突起部４２は、上述したごとく、扉部１８を閉じた状態では、固定側部材３０の台座部３２の傾斜面部３３に形成される凹部３３ａ内に収納される。また、この突起部４２は、扉部１８の開き動作時に、先端面４２ａを、固定側部材３０の台座部３２に形成される傾斜面部３３に当接させた状態で、この傾斜面部３３にガイドされつつ、扉部１８ととともに回動される部位であり、傾斜面部３３上を円滑に移動可能なように、先端面４２ａを断面略円形状に湾曲させて構成されている（図１０参照）。
【００２６】
キャップ部材４５は、図５に示すように、可動側部材３７の外側筒部３８の上端側の開口を閉塞可能な略円板状の頭部４６と、固定側部材３０の内側筒部３４に対してバヨネット結合可能に構成される軸部４７と、を備える構成とされている。このキャップ部材４５は、頭部４６と可動側部材３７の底壁部４０との間にコイルばね４９を介在させるようにして、固定側部材３０の内側筒部３４に挿入させた軸部４７を内側筒部３４にバヨネット結合させることにより、固定側部材３０側に連結されるとともに、可動側部材３７を、固定側部材３０に対して回動自在に連結させることとなる。コイルばね４９は、圧縮されるようにして、可動側部材３７の外側筒部３８と固定側部材３０の内側筒部３４との間の隙間に挿入されて、キャップ部材４５の頭部４６と可動側部材３７の底壁部４０との間に介在されている。
【００２７】
実施形態のゲートＧでは、扉部１８の開き動作時に、可動側部材３７は、固定側部材３０に形成されるガイド面３１ａと傾斜面部３３とにガイドされて、上昇移動しつつ回転することとなる。このとき、キャップ部材４５は、固定側部材３０側に連結されていることから、移動せず、可動側部材３７のみが、図１１に示すように、回転しつつ上昇移動することとなる。そして、コイルばね４９の下端側を当接させている底壁部４０も、可動側部材３７とともに移動することから、キャップ部材４５の頭部４６と底壁部４０との間に配置されるコイルばね４９は、底壁部４０の移動に伴って、さらに圧縮されることとなる。そのため、扉部１８の開き後に、手を扉部１８から離せば、コイルばね４９が復元して底壁部４０を下方に押し下げるような態様となり、可動側部材３７が、この押圧力を受けて、下降移動しつつ逆方向に回転されて、扉部１８が閉じ方向に回転することとなる。すなわち、実施形態のゲートＧでは、扉部１８の開き後に、扉部１８から手を離せば、コイルばね４９の復元力により、扉部１８を、先端側部１９を側枠８Ｌ近傍に位置させるような状態まで、自動的に、閉じることができる。
【００２８】
下側軸部５２は、図１２に示すように、下枠３から突出するように形成される丸棒状の軸本体４と、扉部１８の右端１８ｂ側に配置される軸受部５３と、を備えている。軸本体４は、上述したように、下枠３における右側傾斜部位３ｃにおいて、上方に延びるように、配置されている。軸受部５３は、軸本体４を挿通可能に、下方を開口させた挿入穴部５４を、備えている。この挿入穴部５４は、扉部１８の開き時において、扉部１８の先端側部１９（左端１８ａ側）を上昇させるように傾斜させた際に、内部に挿入させた軸本体４を、この扉部１８の傾斜を許容して、内部で移動可能とするように、断面形状を、長手方向を左右方向に略沿わせた長穴状に、構成されている。なお、扉部１８を閉じた状態では、軸本体４は、挿入穴部５４の左側面５４ａに近接して配置されることとなる。
【００２９】
扉部１８の枠体１（枠本体２）に対する開きを規制可能なロック装置５８は、図１，１３に示すように、開きの先端側となる左端１８ａ側における上端側（先端側部１９の上端１９ａ側）に、配置されている。ロック装置５８は、図１３に示すように、扉部１８の左上端側（先端側部１９の上端１９ａ側）において保持部材５９に保持されて配置されるロック部材６２と、左側の側枠８Ｌの右上端側に配置されてロック部材６２にロックされる被ロック部材７０と、を備えている。
【００３０】
保持部材５９は、ロック部材６２を保持しつつ、扉部１８の先端側部１９の上端１９ａ側に取り付けられるもので、合成樹脂製として、ロック部材６２において、後述する第１突出片６３，第２突出片６４の先端側部位６３ａ，６４ａ、及び、操作部６５の上面側の部位を除いた領域の外周側を、覆うように構成されて、扉部１８の開き時に使用者の把持する部位も、構成している。また、保持部材５９の内部には、第１突出片６３及び第２突出片６４から延びる付勢手段としてのばね片６６，６７の元部端側から延びる係止片部６８を係止させる係止部６０が、配置されている。
【００３１】
ロック部材６２は、合成樹脂製の一体成形品として構成され、図１３に示すように、扉部１８の先端側部１９に配置される保持部材５９の左端面５９ａから側枠８Ｌ側（左方）に突出する第１突出片６３及び第２突出片６４と、第１突出片６３を引き込み可能な操作部６５と、第１突出片６３及び第２突出片６４を、それぞれ、突出方向側（左方）に付勢するばね片６６，６７と、各ばね片６６，６７の元部端側を保持部材５９に形成される係止部６０に係止させる係止片部６８と、を備えている。第１突出片６３は、長手方向を左右方向に略沿わせるように配置される長尺状として、先端側部位６３ａを、保持部材５９の左端面５９ａから左方に突出させるように、配置されている。第２突出片６４は、第１突出片６３の直下において、側枠８Ｌ側となる先端側を下側に向けるように、長手方向を左右方向に対して傾斜させるように配置される長尺状として、先端側部位６４ａを、保持部材５９の左端面５９ａから左方に突出させるように、配置されている。なお、第１突出片６３と第２突出片６４との先端側部位６３ａ，６４ａの左右方向側での突出量は、略同一に、設定されている。
【００３２】
第１突出片６３を保持部材５９から突出させるように付勢するばね片６６は、第１突出片６３と一体的に構成されて第１突出片６３の元部側から延びるとともに、左方に向かって突出するように湾曲して配置される薄肉板状とされるもので、第１突出片６３から離れた元部端側を、係止片部６８によって、保持部材５９の係止部６０に係止されている。第２突出片６４を保持部材５９から突出させるように付勢するばね片６７は、第１突出片６３から延びるばね片６６の下方において、第２突出片６４と一体的に構成されて第２突出片６４の元部側から延びるとともに、左方に向かって突出するように湾曲して配置される薄肉板状として、第２突出片６４から離れた元部端側を、ばね片６６の元部端とともに、係止片部６８に連結され、この係止片部６８によって、保持部材５９の係止部６０に係止されている。換言すれば、各ばね片６６，６７は、係止片部６８から二又に分離するように、構成されている。係止片部６８は、上方に延びる略板状として、保持部材５９に形成される係止部６０に係止されている。操作部６５は、第１突出片６３と連結されて、第１突出片６３から上方に突出するようにして、保持部材５９から、上面側を露出させるように、配置されている。この操作部６５は、右方にスライド移動可能に保持部材５９に保持されて、右方へのスライド移動時に、操作部６５に連結される第１突出片６３が、ばね片６６を撓ませるようにして、保持部材５９内に引き込まれることとなる（図１４参照）。なお、操作部６５の把持状態を解除すれば、ばね片６６が復元することにより、操作部６５がスライド移動前の状態に戻り、第１突出片６３が、再度、先端側部位６３ａを、保持部材５９の左端面５９ａから突出させることとなる。
【００３３】
側枠８Ｌ側に配置される被ロック部材７０は、図１３に示すように、保持部材５９の左端面５９ａに対向して配置される右端面７０ａ側に、第１突出片６３及び第２突出片６４をそれぞれ周縁で係止可能な第１係止穴部７１及び第２係止穴部７２を、備えている。第１係止穴部７１は、保持部材５９から突出している第１突出片６３の先端側部位６３ａを挿入可能に、被ロック部材７０の右端面７０ａを、断面略長方形状に凹ませるようにして形成されるもので、周縁となる上下前後の側面により、第１突出片６３の先端側部位６３ａの移動を規制する構成である。第２係止穴部７２は、第１係止穴部７１の直下に形成されるもので、被ロック部材７０の右端面７０ａを、上側面７２ａ側を傾斜させた断面略台形状に凹ませるようにして形成されている。第２係止穴部７２の上側面７２ａは、凹みの底部側を下方に位置させ、開口側を上方に位置させるように、左右方向に対して傾斜して、構成されている。この第２係止穴部７２の上側面７２ａは、左右方向（水平方向）に対する傾斜角度を、図１３に示すように、第２突出片６４の左右方向（水平方向）に対する傾斜角度よりも、大きく設定されており、操作部６５をスライド移動させつつ扉部１８の先端側部１９側を上昇させた際に、上昇移動する第２突出片６４の先端側部位６４ａをガイド可能に、構成されている。すなわち、実施形態では、操作部６５を右方へスライド移動させて第１突出片６３を引き込みつつ、保持部材５９を持ち上げるようにして、扉部１８の先端側部１９を上昇移動させれば、上昇移動する第２突出片６４の先端側部位６４ａが、第２係止穴部７２の上側面７２ａにガイドされつつ、この上側面７２ａによって保持部材５９内に押し込まれるような態様となって、第２突出片６４の第２係止穴部７２周縁への係止状態を解除させることができる（図１４参照）。
【００３４】
実施形態のゲートＧでは、扉部１８の開き時に、まず、保持部材５９を把持しつつ操作部６５を右方へスライド移動させ、第１突出片６３を引き込んで、第１係止穴部７１周縁との係止状態を解除しつつ、保持部材５９を持ち上げるようにして、扉部１８の先端側部１９を上昇移動させれば、図１４に示すように、上昇移動する第２突出片６４の先端側部位６４ａが、第２係止穴部７２の上側面７２ａにガイドされつつ、この上側面７２ａによって保持部材５９内に押し込まれるような態様となって、第２突出片６４の第２係止穴部７２周縁への係止状態を解除させることができて、ロック装置５８によるロック状態を解除できる。その後、扉部１８を、先端側部１９を前方あるいは後方に向けるように、回動軸部２８を中心として回転させれば、扉部１８を開くことができる。その後、開いた状態の扉部１８から手を離しても、上側軸部２９内に配置されるコイルばね４９の復元により、扉部１８は、先端側部１９を側枠８Ｌ近傍に位置させるような状態まで、自動的に、戻ることとなる。そして、操作部６５を右方へスライド移動させ、第１突出片６３を引き込んだ状態で、保持部材５９を持ち上げるようにして、先端側部１９を上昇移動させた状態から、第２突出片６４を、上側面７２ａに沿わせるようにして、上方から第２係止穴部７２内に挿入させつつ、先端側部１９を下降移動させれば、第２突出片６４を第２係止穴部７２内に挿入させることができて、第２係止穴部７２周縁に係止させることができる。その後、操作部６５から手を離せば、ばね片６６が復元することにより、操作部６５がスライド移動前の状態に戻り、第１突出片６３が、再度、先端側部位６３ａを、保持部材５９の左端面５９ａから突出させて、第１係止穴部７１内に挿入させることとなり、第１突出片６３を、第１係止穴部７１周縁に係止させることができて、ロック装置５８によって、扉部１８の枠体１（側枠８Ｌ）に対する開きをロックすることができる。
【００３５】
そして、実施形態のゲートＧでは、下枠３が、長手方向を水平面に略沿わせた断面略扁平状のパイプ材から形成されていることから、扉部１８の下側に配置される中央側部位３ａにおいて、床面Ｆとの間に大きな段差を生じ難く（高さ寸法が小さく）、扉部１８を開けて通過する際の使い勝手が良好である。また、実施形態のゲートＧでは、下枠３が、側枠８Ｌ，８Ｒ側となる左右両端側の端側部位３ｂ，３ｂを、扉部１８の下側に位置する中央側部位３ａより上側に位置させるように屈曲されて、この床面Ｆから上方に離れた端側部位３ｂ，３ｂ側に、アジャスタ１３を配置させる構成であることから、扁平状の下枠３を、床面Ｆに接触させるように配置させる構成であっても、端側部位３ｂ，３ｂを、床面Ｆから上方に離れた位置に配置させることにより、アジャスタ１３の調整用のスペースを、十分に確保することができて、ゲートＧの取付面ＷＬ，ＷＲ側への取付作業に、支障を生じない。
【００３６】
したがって、実施形態のゲートＧでは、扉部１８を開いた際に容易に通過できる。
【００３７】
また、実施形態のゲートＧにおいて、下枠３を、断面略楕円形状のパイプ材から形成していることから、床面Ｆから立ち上がる領域に、角ばった部分がなくなり、一層使い勝手が良好である。勿論、このような点を考慮しなければ、下枠を、断面略長方形状のパイプ材から形成してもよい。
【００３８】
さらに、実施形態のゲートＧでは、アジャスタ１３を、軸心を左右方向に略沿わせたねじ材１４ｂの略円形板状の操作部（押え板）１４ａを回すことにより、側枠８Ｌ，８Ｒ側を取付面ＷＬ，ＷＲに圧接可能な構成とし、操作部（押え板）１４ａの下端側を、下枠３における左右両端側の端側部位３ｂと床面Ｆとの間の隙間Ｈ１側に、突出して配置させる構成とすれば、下枠３の左右両端側の端側部位３ｂと、床面Ｆと、の間に、操作部（押え板）１４ａを回すための隙間Ｈを確保することができ、アジャスタ１３の締結作業を容易に行なうことができる。
【符号の説明】
【００３９】
１…枠体、３…下枠、３ａ…中央側部位、３ｂ…端側部位、８Ｌ，８Ｒ…側枠、１３…アジャスタ、１４ａ，１５ａ…押え板（操作部）、１４ｂ…ねじ材、１８…扉部、Ｄ…戸口、Ｆ…床面、ＷＬ，ＷＲ…取付面、Ｇ…幼児用ゲート（ゲート）。
【図１】
0003190807.tif 000003
【図２】
0003190807.tif 000004
【図３】
0003190807.tif 000005
【図４】
0003190807.tif 000006
【図５】
0003190807.tif 000007
【図６】
0003190807.tif 000008
【図７】
0003190807.tif 000009
【図８】
0003190807.tif 000010
【図９】
0003190807.tif 000011
【図１０】
0003190807.tif 000012
【図１１】
0003190807.tif 000013
【図１２】
0003190807.tif 000014
【図１３】
0003190807.tif 000015
【図１４】
0003190807.tif 000016
【図１５】
0003190807.tif 000017